(57)【要約】【課題】実印刷時の色合わせ作業やインキ供給量の設定調整を簡単かつ短時間で行う。【解決手段】インキ供給量の設定調整として各色のインキツボキーの開き量の補正量（一律値）とインキツボローラの送り量の補正値（インキ送り量の係数）の調整を行う。各色のインキツボキーの開き量の補正量はメモリ２７に、各色のインキツボローラの送り量の補正値はメモリ３０に記憶させる。試験用刷版による印刷サンプルの各色の測定濃度値と基準濃度値とが一致するように各色のインキツボキーの開き量の補正量と各色のインキツボローラの送り量の補正値の調整を行う。印刷開始時に、各色ごとの「絵柄面積率−インキツボキー開き量変換カーブ」から各色の各インキツボキーの基準の開き量を求め、調整後の補正量で補正する。また、メモリ２６より各色共通として設定されている基準インキ送り量を読み取り、メモリ３０中の各色のインキツボローラの送り量の補正値で補正する。【選択図】  図６
2008254453.tif 000002
【特許請求の範囲】
【請求項１】
インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色の各インキツボキーに対応する前記刷版の各エリアの絵柄面積に応じ、各色共通として予め設定されている絵柄面積率とインキツボキーの開き量との関係に従って、各色の各インキツボキーの基準の開き量を求める第１ステップと、
この求めた各色の各インキツボキーの基準の開き量を一律値として各色ごとに予め設定されているインキツボキーの開き量の補正量を加減算して補正することによって各色の各インキツボキーの開き量の設定値を求める第２ステップと、
各色共通として予め設定されているインキツボローラの基準の送り量を各色ごとに予め設定されているインキツボローラの送り量の補正値で補正することによって各色のインキツボローラの送り量の設定値を求める第３ステップとを備え、
前記第２ステップの各色のインキツボキーの開き量の補正量および前記第３ステップの各色のインキツボローラの送り量の補正値の組合せは、各色のすべての絵柄面積の範囲で濃度値を平行移動調整し得る組合せである
ことを特徴とする多色印刷機のインキ供給量調整方法。
【請求項２】
インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
インキツボキーの開き量の補正量を一律値として各色ごとに予め設定する第１ステップと、
各色の各インキツボキーの開き量の原点位置を前記設定した各色ごとのインキツボキーの開き量の補正量を加減算することによって補正する第２ステップと、
各色の各インキツボキーに対応する前記刷版の各エリアの絵柄面積に応じ、各色共通として予め設定されている絵柄面積率とインキツボキーの開き量との関係に従って、各色の各インキツボキーの開き量の設定値を求める第３ステップと、
各色共通として予め設定されているインキツボローラの基準の送り量を各色ごとに予め設定されているインキツボローラの送り量の補正値で補正することによって各色のインキツボローラの送り量の設定値を求める第４ステップとを備え、
前記第２ステップの各色のインキツボキーの開き量の補正量および前記第４ステップの各色のインキツボローラの送り量の補正値の組合せは、各色のすべての絵柄面積の範囲で濃度値を平行移動調整し得る組合せである
ことを特徴とする多色印刷機のインキ供給量調整方法。
【請求項３】
請求項１又は２において、
前記補正量および前記補正値を書き換え可能としたことを特徴とする多色印刷機のインキ供給量調整方法。
【請求項４】
インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色の各インキツボキーに対応する前記刷版の各エリアの絵柄面積に応じ、各色共通として予め設定されている絵柄面積率とインキツボキーの開き量との関係に従って、各色の各インキツボキーの基準の開き量を求める第１の手段と、
この第１の手段によって求めた各色の各インキツボキーの基準の開き量を一律値として各色ごとに予め設定されているインキツボキーの開き量の補正量を加減算して補正することによって各色の各インキツボキーの開き量の設定値を求める第２の手段と、
各色共通として予め設定されているインキツボローラの基準の送り量を各色ごとに予め設定されているインキツボローラの送り量の補正値で補正することによって各色のインキツボローラの送り量の設定値を求める第３の手段とを備え、
前記第２の手段の各色のインキツボキーの開き量の補正量および前記第３の手段の各色のインキツボローラの送り量の補正値の組合せは、各色のすべての絵柄面積の範囲で濃度値を平行移動調整し得る組合せである
ことを特徴とする多色印刷機のインキ供給量調整装置。
【請求項５】
インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色の各インキツボキーの開き量の原点位置を一律値として予め設定されている各色ごとのインキツボキーの開き量の補正量を加減算することによって補正する第１の手段と、
各色の各インキツボキーに対応する前記刷版の各エリアの絵柄面積に応じ、各色共通として予め設定されている絵柄面積率とインキツボキーの開き量との関係に従って、各色の各インキツボキーの開き量の設定値を求める第２の手段と、
各色共通として予め設定されているインキツボローラの基準の送り量を各色ごとに予め設定されているインキツボローラの送り量の補正値で補正することによって各色のインキツボローラの送り量の設定値を求める第３の手段とを備え、
前記第１の手段の各色のインキツボキーの開き量の補正量および前記第３の手段の各色のインキツボローラの送り量の補正値の組合せは、各色のすべての絵柄面積の範囲で濃度値を平行移動調整し得る組合せである
ことを特徴とする多色印刷機のインキ供給量調整装置。
【請求項６】
請求項４又は５において、
前記補正量および前記補正値が書き換え可能とされていることを特徴とする多色印刷機のインキ供給量調整装置。
【請求項７】
請求項１又は２において、
各色の刷版を用いての実際の印刷開始前に各色の試験用刷版を用いて印刷物を印刷する試験印刷ステップと、
前記各色の試験用刷版を用いて印刷された印刷物の各色の各インキツボキーに対応する各エリアの濃度を測定する濃度測定ステップと、
この濃度測定ステップによって測定された各色の各インキツボキーに対応する各エリアの濃度値と予め記憶されている各色の基準濃度値とが全て一致するか否かを判断する濃度値判断ステップと、
この濃度値判断ステップによって各色の各インキツボキーに対応する各エリアの濃度値と各色の基準濃度値とが全て一致すると判断されるまで、各色ごとの前記インキツボキーの開き量の補正量又は各色ごとの前記インキツボローラの送り量の補正値が調整される毎に、前記各色の試験用刷版を用いての印刷物の印刷を繰り返すステップと
を備えることを特徴とする多色印刷機のインキ供給量調整方法。
【請求項８】
請求項７において、
前記各色の試験用印刷版は、各色の各インキツボキーに対応する各エリア内の絵柄面積率がインキツボキーの並設方向に沿ってなだらかに変化する絵柄を備え、
前記試験印刷ステップは、
前記各色の試験用刷版の各色の各インキツボキーに対応する各エリア内の絵柄面積率に応じ、各色共通として予め設定されている絵柄面積率とインキツボキーの開き量との関係に従って各色の各インキツボキーの基準の開き量を求め、この求めた基準の開き量を各色の各インキツボキーの開き量の設定値として、また各色共通として予め設定されているインキツボローラの基準の送り量を各色のインキツボローラの送り量の設定値として、前記各色の試験用刷版を用いての印刷物の印刷を行う
ことを特徴とする多色印刷機のインキ供給量調整方法。
【請求項９】
請求項４又は５において、
各色の刷版を用いての実際の印刷開始前に各色の試験用刷版を用いて印刷物を印刷する試験印刷手段と、
前記各色の試験用刷版を用いて印刷された印刷物の各色の各インキツボキーに対応する各エリアの濃度を測定する濃度測定手段と、
この濃度測定手段によって測定された各色の各インキツボキーに対応する各エリアの濃度値と予め記憶されている各色の基準濃度値とが全て一致するか否かを判断する濃度値判断手段と、
この濃度値判断手段によって各色の各インキツボキーに対応する各エリアの濃度値と各色の基準濃度値とが全て一致すると判断されるまで、各色ごとの前記インキツボキーの開き量の補正量又は各色ごとの前記インキツボローラの送り量の補正値が調整される毎に、前記各色の試験用刷版を用いての印刷物の印刷を繰り返す手段と
を備えることを特徴とする多色印刷機のインキ供給量調整装置。
【請求項１０】
請求項９において、
前記各色の試験用印刷版は、各色の各インキツボキーに対応する各エリア内の絵柄面積率がインキツボキーの並設方向に沿ってなだらかに変化する絵柄を備え、
前記試験印刷手段は、
前記各色の試験用刷版の各色の各インキツボキーに対応する各エリア内の絵柄面積率に応じ、各色共通として予め設定されている絵柄面積率とインキツボキーの開き量との関係に従って各色の各インキツボキーの基準の開き量を求め、この求めた基準の開き量を各色の各インキツボキーの開き量の設定値として、また各色共通として予め設定されているインキツボローラの基準の送り量を各色のインキツボローラの送り量の設定値として、前記各色の試験用刷版を用いての印刷物の印刷を行う
ことを特徴とする多色印刷機のインキ供給量調整装置。
【発明の詳細な説明】
【技術分野】
【０００１】
この発明は、インキツボキーの開き量やインキツボローラの送り量（回転量）の設定を調整することによって刷版へのインキ供給量を調整する多色印刷機のインキ供給量調整方法および装置に関するものである。
【背景技術】
【０００２】
図１７に輪転印刷機における各色の印刷ユニット内のインカー（インキ供給装置）の要部を示す。同図において、１はインキツボ、２はインキツボ１に蓄えられたインキ、３はインキツボローラ、４（４−１〜４−ｎ）はインキツボローラ３の軸方向に複数並設して設けられたインキツボキー、５はインキ移しローラ、６はインキローラ群、７は刷版、８は版胴である。
【０００３】
図１８は４色輪転印刷機を示す図である。同図において、９−１〜９−４は各色の印刷ユニットであり、この印刷ユニット９−１〜９−４内に上述したインキ供給装置が各個に設けられている。
【０００４】
この印刷機では、インキツボキー４−１〜４−ｎの開き量の調整によってインキツボ１内よりインキツボローラ３に供給されるインキの供給量を調整し、このインキツボローラ３の送り量（回転量）の調整によってインキツボローラ３よりインキローラ群６を介して刷版７へ供給されるインキの量を調整し、この刷版７に供給されたインキを印刷用紙に印刷する。
【０００５】
インキツボキー４−１〜４−ｎの開き量は、インキツボキー４−１〜４−ｎに対応する刷版７の各エリアの絵柄面積率に応じ、予め設定されている「絵柄面積率−インキツボキー開き量変換カーブ」に従って設定される。また、インキツボローラ３の送り量は、予め定められている基準インキ送り量に従って設定される。このインキツボキー４−１〜４−ｎの開き量の設定およびインキツボローラ３の送り量（インキ送り量）の設定は各色の印刷ユニット９（９−１〜９−４）毎に行われる。すなわち、「絵柄面積率−インキツボキー開き量変換カーブ」や基準インキ送り量は、各色毎に定められている（例えば、特許文献１，２参照）。
【０００６】
【特許文献１】特開平８−１１２９２号公報
【特許文献２】特開平５−１０４６９９号公報
【発明の開示】
【発明が解決しようとする課題】
【０００７】
しかしながら、従来においては、「絵柄面積率−インキツボキー開き量変換カーブ」や基準インキ送り量は印刷機メーカが独自に設定しているため、印刷会社による標準濃度の違いや環境による違いが問題になる。
【０００８】
このため、各印刷会社のオペレータは、各色の印刷ユニット９毎に、標準特性を用いてインキツボキー４−１〜４−ｎの開き量やインキツボローラ３の送り量が設定された後、刷版７により印刷された印刷物の色を見て、インキツボキー４−１〜４−ｎの開き量を個々に微調整したりインキツボローラ３の送り量を微調整することにより、標準濃度の違いや環境による違いに個々に対応している。このインキ供給量の微調整には、非常に高度な技術が必要であり、だれでもが簡単に行うことができない。また、微調整に多大な時間がかかり、印刷作業に遅滞が生じる。
【０００９】
また、従来においては、「絵柄面積率−インキツボキー開き量変換カーブ」や基準インキ送り量を各色毎に記憶しておかなければならず、膨大な記憶容量が必要となるという問題があった。
【００１０】
本発明はこのような課題を解決するためになされたもので、その目的とするところは、実印刷時の色合わせ作業やインキ供給量の設定調整を簡単かつ短時間で行うことが可能で、かつ膨大な記憶容量を必要としない多色印刷機のインキ供給量調整方法および装置を提供することにある。
【課題を解決するための手段】
【００１１】
このような目的を達成するために本発明は、各色の各インキツボキーに対応する刷版の各エリアの絵柄面積に応じ、各色共通として予め設定されている絵柄面積率とインキツボキーの開き量との関係に従って、各色の各インキツボキーの基準の開き量を求める第１ステップと、この求めた各色の各インキツボキーの基準の開き量を一律値として各色ごとに予め設定されているインキツボキーの開き量の補正量を加減算して補正することによって各色の各インキツボキーの開き量の設定値を求める第２ステップと、各色共通として予め設定されているインキツボローラの基準の送り量を各色ごとに予め設定されているインキツボローラの送り量の補正値で補正することによって各色のインキツボローラの送り量の設定値を求める第３ステップとを設けたものであり、第２ステップの各色のインキツボキーの開き量の補正量および第３ステップの各色のインキツボローラの送り量の補正値の組合せは、各色のすべての絵柄面積の範囲で濃度値を平行移動調整し得る組合せであることを特徴とする。
【００１２】
この発明によれば、各色共通として予め設定されている絵柄面積率とインキツボキーの開き量との関係（印刷機メーカが設定している唯一の「絵柄面積率−インキツボキー開き量変換カーブ」）に従って各色の各インキツボキーの基準の開き量が求められ、この各色の各インキツボキーの基準の開き量が一律値として各色ごとに予め設定されているインキツボキーの開き量の補正量（増減値）を加減算して補正され、この補正された基準の開き量が各色の各インキツボキーの開き量として設定される。また、各色共通として予め設定されているインキツボローラの基準の送り量（印刷機メーカが設定している唯一の基準の送り量）が各色ごとに予め設定されているインキツボローラの送り量の補正値で補正され、この補正された基準の送り量が各色のインキツボローラの送り量として設定される。この設定において、第２ステップの各色のインキツボキーの開き量の補正量および第３ステップの各色のインキツボローラの送り量の補正値の組合せは、各色のすべての絵柄面積の範囲で濃度値を平行移動調整し得る組合せとされる。
【００１３】
また、本発明は、インキツボキーの開き量の補正量を一律値として各色ごとに予め設定する第１ステップと、各色の各インキツボキーの開き量の原点位置を設定した各色ごとのインキツボキーの開き量の補正量を加減算することによって補正する第２ステップと、各色の各インキツボキーに対応する刷版の各エリアの絵柄面積に応じ、各色共通として予め設定されている絵柄面積率とインキツボキーの開き量との関係に従って、各色の各インキツボキーの開き量の設定値を求める第３ステップと、各色共通として予め設定されているインキツボローラの基準の送り量を各色ごとに予め設定されているインキツボローラの送り量の補正値で補正することによって各色のインキツボローラの送り量の設定値を求める第４ステップとを設けたものであり、第２ステップの各色のインキツボキーの開き量の補正量および第４ステップの各色のインキツボローラの送り量の補正値の組合せは、各色のすべての絵柄面積の範囲で濃度値を平行移動調整し得る組合せであることを特徴とする。
【００１４】
この発明によれば、各色の各インキツボキーの開き量の原点位置が一律値として設定されている各色ごとのインキツボキーの開き量の補正量を加減算することによって補正された後、各色共通として予め設定されている絵柄面積率とインキツボキーの開き量との関係（印刷機メーカが設定している唯一の「絵柄面積率−インキツボキー開き量変換カーブ」）に従って各色の各インキツボキーの開き量の設定値が求められる。また、各色共通として予め設定されているインキツボローラの基準の送り量（印刷機メーカが設定している唯一の基準の送り量）が各色ごとに予め設定されているインキツボローラの送り量の補正値で補正され、この補正された基準の送り量が各色のインキツボローラの送り量として設定される。この設定において、第２ステップの各色のインキツボキーの開き量の補正量および第４ステップの各色のインキツボローラの送り量の補正値の組合せは、各色のすべての絵柄面積の範囲で濃度値を平行移動調整し得る組合せとされる。
【００１５】
また、本発明によれば、各色毎のインキツボキーの開き量の補正量やインキツボローラの送り量の補正値を書き換え可能としたので、各色毎のインキツボキーの開き量の補正量（増減値）やインキツボローラの送り量の補正値を印刷開始前に調整することによって、各印刷会社による標準濃度の違いや環境による違いによるインキ供給量設定の調整を簡単かつ短時間で行え、容易に対応することが可能となる。
【発明の効果】
【００１６】
本発明によれば、各色の各インキツボキーに対応する刷版の各エリアの絵柄面積に応じ、各色共通として予め設定されている絵柄面積率とインキツボキーの開き量との関係に従って、各色の各インキツボキーの基準の開き量を求め、この求めた各色の各インキツボキーの基準の開き量を一律値として各色ごとに予め設定されているインキツボキーの開き量の補正量を加減算して補正することによって各色の各インキツボキーの開き量の設定値を求め、各色共通として予め設定されているインキツボローラの基準の送り量を各色ごとに予め設定されているインキツボローラの送り量の補正値で補正することによって各色のインキツボローラの送り量の設定値を求めるようにすることにより、印刷開始前に各色のインキツボキーの開き量の補正量および各色のインキツボローラの送り量の補正値を絵柄面積率に拘わらず印刷会社固有の基準濃度値が得られるように調整しておくことによって、実印刷時における色合わせ作業を簡単かつ短時間で行うことが可能となる。また、絵柄面積率とインキツボキーの開き量との関係は各色共通として基準となるものを唯一つだけ設定しておけばよいので、また、インキツボローラの基準の送り量は各色共通として唯一つだけ設定しておけばよいので、膨大な記憶容量を必要せず、記憶容量の大幅な削減を図ることが可能となる。
【００１７】
また、本発明によれば、インキツボキーの開き量の補正量を一律値として各色ごとに予め設定し、各色の各インキツボキーの開き量の原点位置を一律値として設定した各色ごとのインキツボキーの開き量の補正量を加減算することによって補正し、各色の各インキツボキーに対応する刷版の各エリアの絵柄面積に応じ、各色共通として予め設定されている絵柄面積率とインキツボキーの開き量との関係に従って、各色の各インキツボキーの開き量の設定値を求め、各色共通として予め設定されているインキツボローラの基準の送り量を各色ごとに予め設定されているインキツボローラの送り量の補正値で補正することによって各色のインキツボローラの送り量の設定値を求めるようにすることにより、印刷開始前に各色のインキツボキーの開き量の原点位置を絵柄面積率に拘わらず印刷会社固有の各色の基準濃度値が得られるように調整しておくことによって、実印刷時における色合わせ作業を簡単かつ短時間で行うことが可能となる。また、絵柄面積率とインキツボキーの開き量との関係は各色共通として基準となるものを唯一つだけ設定しておけばよいので、また、インキツボローラの基準の送り量は各色共通として唯一つだけ設定しておけばよいので、膨大な記憶容量を必要せず、記憶容量の大幅な削減を図ることが可能となる。
【００１８】
また、本発明によれば、各色ごとのインキツボキーの開き量の補正量やインキ送り量の補正値を書き換え可能としたので、各色ごとのインキツボキーの開き量の補正量（増減値）やインキ送り量の補正値を印刷開始前に調整することによって、各印刷会社による標準濃度の違いや環境によるインキ供給量設定の調整を簡単かつ短時間で行え、容易に対応することが可能となる。
【発明を実施するための最良の形態】
【００１９】
以下、本発明を実施の形態に基づき詳細に説明する。
〔参考例１〕
図１はこの発明に係る多色印刷機のインキ供給量調整装置の実施の形態１の説明に入る前の参考例（参考例１）を示すブロック図である。同図において、１０はＣＰＵ、１１はＲＯＭ、１２はＲＡＭ，１３はスイッチ群、１４は表示器、１５はフレキシブルディスク又は磁気カードドライブ（ドライブ装置）、１６はプリンタ、１７は濃度計、１８は刷版絵柄面積率測定装置、１９，２０はＡ／Ｄ変換器、２１〜２３は入出カインターフェイス（Ｉ／Ｆ，Ｉ／Ｏ）、２４〜２７はメモリ、２８はインキツボキー駆動装置、２９はインキツボローラ駆動装置である。ＣＰＵ１０は、インターフェイス２１〜２３を介して与えられる各種入力情報を得て、ＲＯＭ１１に格納されているプログラムに従い、ＲＡＭ１２にアクセスしながら、各種処理動作を行う。
【００２０】
メモリ２４には印刷会社固有の各色ごとの基準濃度値を必要に応じて記憶させる（印刷機メーカ出荷時には各色ごとの標準濃度値が記憶されている）。メモリ２５には各色共通の基準となる「絵柄面積率−インキツボキー開き量変換カーブ」が記憶されている（印刷機メーカ出荷時に各色共通の唯一の標準特性が記憶されている）。メモリ２６には各色ごとのインキ送り量が記憶されている（印刷機メーカ出荷時には標準値として各色ごとの基準インキ送り量が記憶されている）。メモリ２７には各色ごとのインキツボキーの開き量の補正量（増減値）が一律値として設定されている。すなわち、各色ごとに、インキツボキーの開き量の補正量として、インキツボキー４−１〜４−ｎ（図１７）に対して共通の補正量が設定されている。このインキツボキーの開き量の補正量は印刷機メーカ出荷時には０とされている。
【００２１】
インキツボキー駆動装置２８は各色のインキツボキー４−１〜４−ｎに対応して各個に設けられている。すなわち、各色のインキツボキー駆動装置２８は、ｎ個のインキツボキー駆動装置２８−１〜２８−ｎから構成され、これらインキツボキー駆動装置２８−１〜２８−ｎによって、インキツボキー４−１〜４−ｎのインキツボローラ３に対する開き量が各個に調整される。インキツボキー駆動装置２８−１〜２８−ｎは、同構成とされており、入出カインターフェイス２８Ａと、Ｄ／Ａ変換器２８Ｂと、ツボキーモータドライバ２８Ｃと、ツボキーモータ２８Ｄと、ツボキーモータ２８Ｄに付設されたポテンショメータ２８Ｅと、Ａ／Ｄ変換器２８Ｆとを備えている。
【００２２】
インキツボローラ駆動装置２９は各色のツボローラ３に対応して各個に設けられている。すなわち、４色輪転印刷機において、インキツボローラ駆動装置２９は４個のインキツボローラ駆動装置２９−１〜２９−４から構成され、これらインキツボローラ駆動装置２９−１〜２９−４によって、各色のインキツボローラ３の送り量が各個に調整される。インキツボローラ駆動装置２９−１〜２９−４は、同構成とされており、入出カインターフェイス２９Ａと、Ｄ／Ａ変換器２９Ｂと、ツボローラ駆動用モータドライバ２９Ｃと、ツボローラ駆動用モータ２９Ｄと、ツボローラ駆動用モータ２９Ｄに付設されたロータリエンコーダ２９Ｅと、Ｆ／Ｖ変換器２９Ｆと、Ａ／Ｄ変換器２９Ｇとを備えている。
【００２３】
〔実印刷前調整時のインキツボキーの開き量の補正量およびインキ送り量の調整〕
図２はこのインキ供給量調整装置における印刷開始前の特徴的な動作を説明するためのフローチャートである。このインキ供給量調整装置では、印刷開始前に、メモリ２７内の各色ごとのインキツボキーの開き量の補正量およびメモリ２６内の各色ごとのインキ送り量の調整を行う。この調整に際しては図４に示すような試験用刷版７Ａを用いる。この試験用刷版７Ａにはカラーパッチ部７Ａ１とインキ供給量調整用絵柄部７Ａ２が設けられている。
【００２４】
カラーパッチ部７Ａ１は、印刷品質測定用として用いられる公知の絵柄部であり、インキツボキー４−１〜４−ｎに対応する各エリア内に図示左右方向へ所定の間隔を隔てて設けられた複数のパッチ（図示せず）から構成される。インキ供給量調整用絵柄部７Ａ２は直角三角形とされ、インキツボキー４−１〜４−ｎに対応する各エリア内の絵柄面積率がインキツボキーの並設方向に沿ってなだらかに変化する。
【００２５】
このインキ供給量調整装置を用いてのインキツボキーの開き量の補正量およびインキ送り量の調整にあたって、オペレータは、試験用刷版７Ａの絵柄面積率を刷版絵柄面積率測定装置１８で測定し、ＣＰＵ１０へ与える（図２に示すステップ１０１）。すなわち、試験用刷版７Ａのインキツボキー４−１〜４−ｎに対応する各エリアの絵柄面積率を測定し、この絵柄面積率をＡ／Ｄ変換器２０およびＩ／Ｆ・２２を介してＣＰＵ１０へ与える。
【００２６】
すると、ＣＰＵ１０は、インキツボキー４−１〜４−ｎに対応する試験用刷版７Ａの各エリアの絵柄面積率に応じ、メモリ２５に予め記憶されている各色共通の「絵柄面積率−インキツボキー開き量変換カーブ（標準特性）」に従って、各色のインキツボキー４−１〜４−ｎの基準の開き量を求める（ステップ１０２）。そして、メモリ２６から各色のインキ送り量を読み取り（ステップ１０３）、この読み取った各色のインキ送り量をインキツボローラ駆動装置２９を介して各色のインキツボローラ３に対して設定すると共に、ステップ１０２で求めた各色のインキツボキー４−１〜４−ｎの基準の開き量をインキツボキー駆動装置２８を介して設定する（ステップ１０４）。
【００２７】
次に、オペレータは、試験用刷版７Ａを各色の版胴８にセットした状態で印刷を行い、印刷サンプルを採取する（ステップ１０５）。そして、この採取した印刷サンプルの各色の濃度値を濃度計１７を用いて測定し（ステップ１０６）、Ａ／Ｄ変換器１９およびＩ／Ｆ・２１を介してＣＰＵ１０へ与える。ＣＰＵ１０は、濃度計１７からのデータに基づき、印刷サンプルの各色のインキツボキー４−１〜４−ｎに対応する各エリアの濃度値（測定濃度値）と予めメモリ２４に記憶されている各色の基準濃度値（印刷会社固有の基準濃度値）とが一致しているか否かをチェックする（ステップ１０７）。
【００２８】
ここで、測定濃度値と基準濃度値とが一致していなければ、すなわち測定濃度値と基準濃度値との差が零あるいは所定の範囲内に入っていなければ、濃度値の調整が必要であると判断する。ここでは、説明上、各色の全てのエリアの測定濃度値と基準濃度値とが一致していないものとする。
【００２９】
濃度値の調整が必要であるとされた場合、オペレータは、メモリ２７に格納されている各色のインキツボキーの開き量の補正量およびメモリ２６に格納されている各色のインキ送り量を調整する（ステップ１０８）。すなわち、表示器１４に表示されている現在の各色のインキツボキーの開き量の補正量およびインキ送り量を見ながら、その値を増減する。調整された各色のインキツボキーの開き量の補正量およびインキ送り量はメモリ２７および２６に上書きされる。
【００３０】
ＣＰＵ１０は、メモリ２７より調整後の各色のインキツボキーの開き量の補正量を読み取り（ステップ１０９）、この読み取った各色のインキツボキーの開き量の補正量をステップ１０２で求めた各色のインキツボキー４−１〜４−ｎの基準の開き量に加えることによって、すなわち補正量がプラスであれば加算し、マイナスであれば減算することによって、各色のインキツボキー４−１〜４−ｎの開き量を補正する（ステップ１１０）。
【００３１】
そして、ＣＰＵ１０は、メモリ２６より調整後の各色のインキ送り量を読み取り（ステップ１１１）、この読み取った各色のインキ送り量およびステップ１１０で補正した各色のインキツボキー４−１〜４−ｎの開き量をインキツボローラ駆動装置２９およびインキツボキー駆動装置２８を介して設定する（ステップ１１２）。
【００３２】
ここで、各色において、ステップ１０７での測定濃度値が図５（ａ）に示す特性Ｉのように絵柄面積率に拘わらず一定値Ａであるものとした場合、ステップ１１２でインキ送り量を調整することによってその特性は変化する。例えば、インキ送り量を増加すると、特性IIに示すように、濃度値は上昇するが、絵柄面積率の低い部分では上昇が鈍く、絵柄面積率が大きくなるにつれ濃度値が徐々に上昇し、ある絵柄面積率に達すると平行に濃度移動する。
【００３３】
また、各色において、ステップ１０７での測定濃度値が図５（ｂ）に示す特性Ｉのように絵柄面積率に拘わらず一定値Ａであるものとした場合、ステップ１１２で各インキツボキー４−１〜４−ｎの開き量を調整することによってその特性は変化する。例えば、各インキツボキー４−１〜４−ｎの開き量を一律に増加させると、特性III に示すように、濃度値は上昇するが、絵柄面積率の低い部分では上昇が大きく、絵柄面積率が大きくなるにつれ濃度値が徐々に下降し、ある絵柄面積率に達すると平行に濃度移動する。
【００３４】
ステップ１１２では、インキ送り量とインキツボキーの開き量の両方を調整しているので、特性IIとIII とが組み合わされた特性IVとなり（図５（ｃ）参照）、メモリ２５に格納されている各色共通の「絵柄面積率−インキツボキー開き量変換カーブ」を変更することなく、各色の印刷濃度を所望の濃度値（基準濃度値）Ｂへ平行移動調整することが可能となる。
【００３５】
従来において、各色（例えば、アイ、アカ、キ、スミ）の「絵柄面積率−インキツボキー開き量変換カーブ」は図１５に示すようになっている。したがって、アイまたはアカの変換カーブで、各色のインキツボキーの開き量を求め、印刷した場合の濃度は図１６に示すようになる。この図から分かるように、スミの濃度はインキツボローラの送り量を増やした時とほぼ逆の濃度分布になり、キの濃度はインキツボキーの開き量を一律に増やした時とほぼ逆の濃度分布になる。
【００３６】
これらの濃度分布は、インキツボローラの送り量またはインキツボキーの開き量を一律に増減することにより、ほぼ一律にすることができる。この事により、各色の濃度分布を一律にすることができるが、その濃度は基準濃度とは異なっている。しかし、前述したように、インキツボローラの送り量およびインキツボキーの開き量を一律に増減することにより、各絵柄面積率の部分の濃度をほぼ一律に変化させることができるので、その調整により、各色の濃度を各印刷所の各色の基準濃度に合わせることができる。
【００３７】
以上のことより、各色共通の「絵柄面積率−インキツボキー開き量変換カーブ」を用いて、インキツボローラの送り量およびインキツボキーの開き量を一律に増減することにより、各印刷所の各色の基準濃度や印刷条件に応じたインキの供給量を求めることができ、以降の印刷においては、それらのインキツボローラの送り量およびインキツボキーの開き量の増減値を用いることにより、簡単に、適正なインキ供給量を求めることができる。
【００３８】
ステップ１１２でのインキ送り量とインキツボキーの開き量の調整後、オペレータは、試験用刷版７Ａを版胴８にセットした状態で再度印刷を行ない、印刷サンプルを採取し（ステップ１１３）、印刷サンプルの各色の濃度値を測定する（ステップ１１４）。ＣＰＵ１０は、先のステップ１０７と同様にして、採取した印刷サンプルの各色のインキツボキー４−１〜４−ｎに対応する各エリアの測定濃度値と基準濃度値とが一致しているか否かをチェックする（ステップ１１５）。
【００３９】
各色の全てのエリアの測定濃度値と基準濃度値とが一致するまでステップ１０８〜１１５を繰り返す。各色の全てのエリアの測定濃度値と基準濃度値とが一致すれば、ＣＰＵ１０は、印刷開始前のインキツボキーの開き量の補正量およびインキ送り量の調整処理を終了する。
【００４０】
〔実印刷開始時のインキ供給量の設定手段〕
図３はこのインキ供給量調整装置における印刷開始時の特徴的な動作を説明するためのフローチャートである。このインキ供給量調整装置では、各色の印刷用刷版７を装着しての印刷開始にあたって、オペレータは、各色の印刷用刷版７の絵柄面積率を刷版絵柄面積率測定装置１８で測定し、ＣＰＵ１０へ与える（ステップ２０１）。すなわち、各色の印刷用刷版７のインキツボキー４−１〜４−ｎに対応する各エリアの絵柄面積率を測定し、この絵柄面積率をＡ／Ｄ変換器２０およびＩ／Ｆ・２２を介してＣＰＵ１０へ与える。
【００４１】
すると、ＣＰＵ１０は、インキツボキー４−１〜４−ｎに対応する各色の印刷用刷版７の各エリアの絵柄面積率に応じ、メモリ２５に予め記憶されている各色共通の「絵柄面積率−インキツボキー開き量変換カーブ」に従って、各色のインキツボキー４−１〜４−ｎの基準の開き量を求める（ステップ２０２）。そして、メモリ２７から各色のインキツボキーの開き量の補正量を読み取り（ステップ２０３）、この読み取った各色のインキツボキーの開き量の補正量をステップ２０２で求めた各色のインキツボキー４−１〜４−ｎの基準の開き量に加えることによって、すなわち補正量がプラスであれば加算し、マイナスであれば減算することによって、各色のインキツボキー４−１〜４−ｎの開き量の設定値を得る（ステップ２０４）。
【００４２】
そして、ＣＰＵ１０は、メモリ２６より各色のインキ送り量を読み取り（ステップ２０５）、この読み取った各色のインキ送り量およびステップ２０４で得た各色のインキツボキー４−１〜４−ｎの開き量をインキツボローラ駆動装置２９およびインキツボキー駆動装置２８を介して設定し（ステップ２０６）、印刷を開始する（ステップ２０７）。
【００４３】
この場合、メモリ２６内の各色のインキ送り量およびメモリ２７内の各色のインキツボキーの開き量の補正量は、印刷開始前の先のステップ１０８〜１１５の繰り返し処理により絵柄面積率に拘わらず印刷会社固有の各色の基準濃度値が得られるように調整されているので、最初から適したインキ供給量を得ることができる。
【００４４】
すなわち、これまでは使用される印刷会社固有の基準濃度値や印刷環境条件に応じて、各色のインキツボキー４−１〜４−ｎの開き量とインキ送り量の設定後、オペレータが印刷用刷版７による印刷物の印刷テストを繰り返しながら各色のインキツボキー４−１〜４−ｎの開き量とインキ送り量の調整を、規則性なく現合調整を行い、適正なインキの供給量となるようにしていた。この参考例１では、印刷用刷版７を装着してのこのようなインキ供給量の調整は不要であり、印刷用刷版７の装着後、即座に適正なインキの供給量を得ることができる。
【００４５】
また、この参考例１では、各色のインキツボキーの開き量の補正量を一律値としているので、インキツボキー毎に別々の補正量を設定する方法と比較し、印刷開始前の補正量およびインキ送り量の調整を簡単かつ短時間で行うことができる。また、印刷機械メーカが定めた基本的な各色共通の「絵柄面積率−インキツボキー開き量変換カーブ」を変更する必要がなく、調整操作を簡易化することができる。
【００４６】
また、この参考例１では、メモリ２５に各色共通の「絵柄面積率−インキツボキー開き量変換カーブ」を記憶させるだけでよいので、メモリ２５の記憶容量を大幅に削減することができる。すなわち、従来の方法では、各色ごとの「絵柄面積率−インキツボキー開き量変換カーブ」を記憶させるようにしていたので膨大な記憶容量を必要としていたが、この参考例１では唯一の「絵柄面積率−インキツボキー開き量変換カーブ」を記憶させておくのみでよく、膨大な記憶容量を必要としない。
【００４７】
〔実施の形態１〕
図６はこの発明に係る多色印刷機のインキ供給量調整装置の実施の形態１を示すブロック図である。同図において、図１と同一符号は同一或いは同等構成要素を示し、その説明は省略する。
【００４８】
このインキ供給量調整装置では、図１に示した構成に加えて、各色ごとのインキ送り量の係数を記憶するメモリ３０を設けている。この各色ごとのインキ送り量の係数は印刷機メーカ出荷時には１とされている。また、この実施の形態１において、メモリ２６には印刷機メーカ出荷時に各色共通の唯一つの基準インキ送り量が記憶されている。この各色共通の基準インキ送り量は参考例１のように書き換えられることはない。
【００４９】
〔実印刷開始前調整時のインキツボキーの開き量の補正量およびインキ送り量の係数の調整〕
図７はこのインキ供給量調整装置における印刷開始前の特徴的な動作を説明するためのフローチャートである。このインキ供給量調整装置では、印刷開始前に、メモリ２７内の各色ごとのインキツボキーの開き量の補正量およびメモリ３０内の各色ごとのインキ送り量の係数の調整を行う。この調整に際しても図４に示した試験用刷版７Ａを用いる。
【００５０】
図７におけるステップ３０１〜３０７、３１４〜３１６の処理は図２におけるステップ１０１〜１０７、１１３〜１１５の処理と同じであるのでその説明は省略する。
ステップ３０７において、濃度値の調整が必要であるとされた場合、オペレータは、メモリ２７に格納されている各色のインキツボキーの開き量の補正量およびメモリ３０に格納されている各色のインキ送り量の係数を調整する（ステップ３０８）。すなわち、表示器１４に表示されている現在の各色のインキツボキーの開き量の補正量およびインキ送り量の係数を見ながら、その値を増減する。調整された各色のインキツボキーの開き量の補正量およびインキ送り量の係数はメモリ２７および３０に上書きされる。
【００５１】
ＣＰＵ１０は、メモリ２７より調整後の各色のインキツボキーの開き量の補正量を読み取り（ステップ３０９）、この読み取った各色のインキツボキーの開き量の補正量（増減値）をステップ３０２で求めた各色のインキツボキー４−１〜４−ｎの基準の開き量に加えることによって、すなわち補正量がプラスであれば加算し、マイナスであれば減算することによって、各色のインキツボキー４−１〜４−ｎの開き量を補正する（ステップ３１０）。
【００５２】
そして、ＣＰＵ１０は、メモリ３０より調整後の各色のインキ送り量の係数を読み取り（ステップ３１１）、この読み取った各色のインキ送り量の係数をステップ３０３で読み取った各色共通の基準インキ送り量に乗じることによって、各色のインキ送り量を補正する（ステップ３１２）。そして、ステップ３１０で得た各色のインキツボキー４−１〜４−ｎの開き量およびステップ３１２で得た各色のインキ送り量をインキツボキー駆動装置２８およびインキツボローラ駆動装置２９を介して設定する（ステップ３１３）。
【００５３】
〔実印刷開始時のインキ供給量の設定手段〕
図８はこのインキ供給量調整装置における印刷開始時の特徴的な動作を説明するためのフローチャートである。図８におけるステップ４０１〜４０４の処理は、図３におけるステップ２０１〜２０４の処理と同じであるので、その説明は省略する。
【００５４】
このインキ供給量調整装置において、ＣＰＵ１０は、ステップ４０５でメモリ２６より各色共通の基準インキ送り量を読み取った後、メモリ３０より各色のインキ送り量の係数を読み取る（ステップ４０６）。そして、この読み取った各色のインキ送り量の係数をステップ４０５で読み取った各色共通の基準インキ送り量に乗じ、各色のインキ送り量の設定値を得る（ステップ４０７）  。
【００５５】
そして、ＣＰＵ１０は、ステップ４０４で得た各色のインキツボキー４−１〜４−ｎの開き量およびステップ４０７で得た各色のインキ送り量をインキツボキー駆動装置２８およびインキツボローラ駆動装置２９を介して設定し（ステップ４０８）、印刷を開始する（ステップ４０９）。
なお、この実施の形態１では、各色のインキ送り量の補正は、係数を乗じることによって行っているが、インキツボキーの開き量と同じように、補正値を求め、基準インキ送り量にその補正値を加えるようにしても、同じ効果が得られる。
【００５６】
〔参考例２〕
図９はこの発明に係る多色印刷機のインキ供給量調整装置の実施の形態２の説明に入る前の参考例（参考例２）を示すブロック図である。同図において、図１と同一符号は同一或いは同等構成要素を示し、その説明は省略する。
このインキ供給量調整装置では、図１に示した構成に加えて、各色ごとのインキツボキーの開き量のゼロ位置（原点位置）を記憶するメモリ３１を設けている。
【００５７】
〔実印刷前調整時のインキツボキーの開き量の補正量およびインキ送り量の調整〕
図１０はこのインキ供給量調整装置における印刷開始前の特徴的な動作を説明するためのフローチャートである。このインキ供給量調整装置では、印刷開始前に、メモリ２７内の各色ごとのインキツボキーの開き量の補正量およびメモリ２６内の各色ごとのインキ送り量の調整を行う。この調整に際しても図４に示した試験用刷版７Ａを用いる。図１０におけるステップ５０１〜５１５の処理は図２におけるステップ１０１〜１１５の処理と同じであるのでその説明は省略する。
【００５８】
〔実印刷開始時のインキ供給量の設定手段〕
図１１はこのインキ供給量調整装置における印刷開始時の動作を説明するためのフローチャートである。
このインキ供給量調整装置では、メモリ３１に格納されている各色のインキツボキーの開き量のゼロ位置を読み出すと共に（ステップ６０２）、メモリ２７に格納されている各色のインキツボキーの開き量の補正量を読み出し（ステップ６０３）、この読み出した各色のインキツボキーの開き量のゼロ位置に各色のインキツボキーの開き量の補正量（増減値）を加えることによって、すなわち補正量がプラスであれば加算し、マイナスであれば減算することによって、各色のインキツボキーの開き量のゼロ位置を補正する（ステップ６０４）。
【００５９】
その後、ＣＰＵ１０は、インキツボキー４−１〜４−ｎに対応する各色の印刷用刷版７の各エリアの絵柄面積率に応じ、メモリ２５に予め記憶されている各色共通の「絵柄面積率−インキツボキー開き量変換カーブ」に従って、各色のインキツボキー４−１〜４−ｎの基準の開き量を求め（ステップ６０５）、ステップ６０４で求めた補正された各色のインキツボキーの開き量のゼロ位置とステップ６０５で求めた各色の各インキツボキーの基準の開き量より、各色の各インキツボキーの開き量を求める（ステップ６０６）。
【００６０】
そして、ＣＰＵ１０は、メモリ２６より各色のインキ送り量を読み取り（ステップ６０７）、この読み取った各色のインキ送り量およびステップ６０６で得た各色のインキツボキー４−１〜４−ｎの開き量をインキツボローラ駆動装置２９およびインキツボキー駆動装置２８を介して設定し（ステップ６０８）、印刷を開始する（ステップ６０９）。
【００６１】
この場合、各色のインキツボキー４−１〜４−ｎは、補正された各色のインキツボキーの開き量のゼロ位置を基準としてその開き量が設定されるので、すなわち絵柄面積率に拘わらず印刷会社固有の各色の基準濃度値が得られるように調整されたゼロ位置を基準としてその開き量が設定されるので、メモリ２６より読み出される各色のインキ送り量の設定との組み合わせにより、最初から適したインキ供給量を得ることができる。
【００６２】
〔実施の形態２〕
図１２はこの発明に係る多色印刷機のインキ供給量調整装置の実施の形態２を示すブロック図である。同図において、図６と同一符号は同一或いは同等構成要素を示し、その説明は省略する。
このインキ供給量調整装置では、図６に示した構成に加えて、各色ごとのインキツボキーの開き量のゼロ位置（原点位置）を記憶するメモリ３１を設けている。
【００６３】
〔実印刷前調整時のインキツボキーの開き量の補正量およびインキ送り量の係数の調整〕
図１３はこのインキ供給量調整装置における印刷開始前の特徴的な動作を説明するためのフローチャートである。このインキ供給量調整装置では、印刷開始前に、メモリ２７内の各色ごとのインキツボキーの開き量の補正量およびメモリ３０内の各色ごとのインキ送り量の係数の調整を行う。この調整に際しても図４に示した試験用刷版７Ａを用いる。図１３におけるステップ７０１〜７１６の処理は図７におけるステップ３０１〜３１６の処理と同じであるのでその説明は省略する。
【００６４】
〔実印刷開始時のインキ供給量の設定手段〕
図１４はこのインキ供給量調整装置における印刷開始時の動作を説明するためのフローチャートである。
このインキ供給量調整装置では、メモリ３１に格納されている各色のインキツボキーの開き量のゼロ位置を読み出すと共に（ステップ８０２）、メモリ２７に格納されている各色のインキツボキーの開き量の補正量を読み出し（ステップ８０３）、この読み出した各色のインキツボキーの開き量のゼロ位置に各色のインキツボキーの開き量の補正量（増減値）を加えることによって、すなわち補正量がプラスであれば加算し、マイナスであれば減算することによって、各色のインキツボキーの開き量のゼロ位置を補正する（ステップ８０４）。
【００６５】
その後、ＣＰＵ１０は、インキツボキー４−１〜４−ｎに対応する各色の印刷用刷版７の各エリアの絵柄面積率に応じ、メモリ２５に予め記憶されている各色共通の「絵柄面積率−インキツボキー開き量変換カーブ」に従って、各色のインキツボキー４−１〜４−ｎの基準の開き量を求め（ステップ８０５）、ステップ８０４で求めた補正された各色のインキツボキーの開き量のゼロ位置とステップ８０５で求めた各色の各インキツボキーの基準の開き量より、各色の各インキツボキーの開き量を求める（ステップ８０６）。
【００６６】
そして、ＣＰＵ１０は、メモリ２６より各色共通の基準インキ送り量を読み取り（ステップ８０７）、メモリ３０より各色のインキ送り量の係数を読み取る（ステップ８０８）。そして、この読み取った各色のインキ送り量の係数をステップ８０７で読み取った各色共通の基準インキ送り量に乗じ、各色のインキ送り量の設定値を得る（ステップ８０９）。
【００６７】
そして、ＣＰＵ１０は、ステップ８０６で得た各色のインキツボキー４−１〜４−ｎの開き量およびステップ８０９で得た各色のインキ送り量をインキツボキー駆動装置２８およびインキツボローラ駆動装置２９を介して設定し（ステップ８１０）、印刷を開始する（ステップ８１１）。
【００６８】
この場合、各色のインキツボキー４−１〜４−ｎは、補正された各色のインキツボキーの開き量のゼロ位置を基準としてその開き量が設定されるので、すなわち絵柄面積率に拘わらず印刷会社固有の各色の基準濃度値が得られるように調整されたゼロ位置を基準としてその開き量が設定されるので、ステップ８０９で求められる各色のインキ送り量の設定との組み合わせにより、最初から適したインキ供給量を得ることができる。
【００６９】
なお、この実施の形態２では、各色のインキ送り量の補正は係数を乗じることによって行っているが、インキツボキーの開き量と同じように、補正値を求め、基準インキ送り量にその補正値を加えるようにしても、同じ効果が得られる。
【図面の簡単な説明】
【００７０】
【図１】本発明に係る多色印刷機のインキ供給量調整装置の実施の形態１の説明に入る前の参考例１を示すブロック図である。
【図２】このインキ供給量調整装置における印刷開始前の動作を説明するためのフローチャートである。
【図３】このインキ供給量調整装置における印刷開始時の動作を説明するためのフローチャートである。
【図４】このインキ供給量調整装置における印刷開始前のインキツボキーの開き量の補正量およびインキ送り量の調整に際して用いる試験用刷版を示す図である。
【図５】インキツボキーの開き量およびインキ送り量を調整することによる印刷濃度の基準濃度値への平行移動調整を説明する図である。
【図６】本発明に係る多色印刷機のインキ供給量調整装置の実施の形態１を示すブロック図である。
【図７】このインキ供給量調整装置における印刷開始前の動作を説明するためのフローチャートである。
【図８】このインキ供給量調整装置における印刷開始時の動作を説明するためのフローチャートである。
【図９】本発明に係る多色印刷機のインキ供給量調整装置の実施の形態２の説明に入る前の参考例２を示すブロック図である。
【図１０】このインキ供給量調整装置における印刷開始前の動作を説明するためのフローチャートである。
【図１１】このインキ供給量調整装置における印刷開始時の動作を説明するためのフローチャートである。
【図１２】本発明に係る多色印刷機のインキ供給量調整装置の実施の形態２を示すブロック図である。
【図１３】このインキ供給量調整装置における印刷開始前の動作を説明するためのフローチャートである。
【図１４】このインキ供給量調整装置における印刷開始時の動作を説明するためのフローチャートである。
【図１５】従来における各色（例えば、アイ、アカ、キ、スミ）の「絵柄面積率−インキツボキー開き量変換カーブ」を示す図である。
【図１６】アイまたはアカの変換カーブで各色のインキツボキーの開き量を求めて印刷した場合の濃度を示す図である。
【図１７】輪転印刷機における各色の印刷ユニット内のインキ供給装置の要部を示す図である。
【図１８】４色輪転印刷機を示す図である。
【符号の説明】
【００７１】
１…インキツボ、２…インキ、３…インキツボローラ、４（４−１〜４−ｎ）…インキツボキー、５…インキ移しローラ、６…インキローラ群、７…刷版、７Ａ…試験用刷版、７Ａ１…カラーパッチ部、７Ａ２…インキ供給量調整用絵柄部、８…版胴、９−１〜９−４…印刷ユニット、１０…ＣＰＵ，１１…ＲＯＭ，１２…ＲＡＭ，１３…スイッチ群、１４…表示器、１５…ドライブ装置、１６…プリンタ、１７…濃度計、１８…刷版絵柄面積率測定装置、１９，２０…Ａ／Ｄ変換器、２１，２２，２３…入出カインターフェイス（Ｉ／Ｆ，Ｉ／Ｏ）、２４…メモリ（各色ごとの基準濃度値記憶用）、２５…メモリ（各色共通の絵柄面積率−インキツボキー開き量変換カーブ記憶用）、２６…メモリ（各色ごとのインキ送り量記憶用）、２７…メモリ（各色ごとのインキツボキー開き量の補正量記憶用）、２８（２３−１〜２３−ｎ）…インキツボキー駆動装置、２９（２９−１〜２９−４）…インキツボローラ駆動装置、３０…メモリ（各色ごとのインキ送り量の係数記憶用）、３１…メモリ（各色ごとのインキツボキー開き量のゼロ位置記憶用）。
【図１】
2008254453.tif 000003
【図２】
2008254453.tif 000004
【図３】
2008254453.tif 000005
【図４】
2008254453.tif 000006
【図５】
2008254453.tif 000007
【図６】
2008254453.tif 000008
【図７】
2008254453.tif 000009
【図８】
2008254453.tif 000010
【図９】
2008254453.tif 000011
【図１０】
2008254453.tif 000012
【図１１】
2008254453.tif 000013
【図１２】
2008254453.tif 000014
【図１３】
2008254453.tif 000015
【図１４】
2008254453.tif 000016
【図１５】
2008254453.tif 000017
【図１６】
2008254453.tif 000018
【図１７】
2008254453.tif 000019
【図１８】
2008254453.tif 000020